(57)【要約】【課題】本発明は、極めて商品価値の高い画期的な筒体を提供することを目的とする。【解決手段】複数の筒状部材１同士を連結して成る筒体であって、隣接する筒状部材１のうち、一方の筒状部材１Ａの開口端部に他方の筒状部材１Ｂの開口端部を被嵌し得るように構成し、この他方の筒状部材１Ｂの被嵌開口端部２にこの筒状部材１Ｂの周方向を分断する切り込み部３を形成するとともに、この被嵌開口端部２を絞り込んで径縮させる絞り込み径縮機構を前記被嵌開口端部２に設けたものである。【選択図】        図３
2004219021.tif 000002
【特許請求の範囲】
【請求項１】
複数の筒状部材同士を連結して成る筒体であって、隣接する筒状部材のうち、一方の筒状部材の開口端部に他方の筒状部材の開口端部を被嵌し得るように構成し、この他方の筒状部材の被嵌開口端部にこの筒状部材の周方向を分断する切り込み部を形成するとともに、この被嵌開口端部を絞り込んで径縮させる絞り込み径縮機構を前記被嵌開口端部に設けたことを特徴とする筒体。
【請求項２】
前記切り込み部の対向する切り込み端縁部同士の対向間隔を狭くし得る挟み込み体を前記被嵌開口端部に設けて前記絞り込み径縮機構を構成したことを特徴とする請求項１記載の筒体。
【請求項３】
前記切り込み部の対向する切り込み端縁部夫々に立ち上がり部を形成し、この立ち上がり部間にネジ棒部材を架設するとともに、この立ち上がり部の少なくとも一方の外部に突出する前記ネジ棒部材の突出部に螺着する螺着部材を設け、この螺着部材を締め付け操作することで、立ち上がり部同士の対向間隔を狭くし得るように設けて前記挟み込み体を構成したことを特徴とする請求項２記載の筒体。
【請求項４】
前記切り込み部を前記被嵌開口端部に所定巾Ｌ１のスリットを形成して構成し、この切り込み部の先端部位には、筒状部材の開口縁に開口する開口部が形成されるとともに、基端部位には、前記巾Ｌ１よりも広い巾Ｌ２の巾広部が形成されていることを特徴とする請求項１〜３のいずれか１項に記載の筒体。
【発明の詳細な説明】
【０００１】
【発明の属する技術分野】
本発明は、例えば暖房システムの煙突や空調システムの導管などの筒体に関するものである。
【０００２】
【従来の技術及び発明が解決しようとする課題】
例えば暖房用のストーブやお風呂の湯沸し器などの熱発生装置から延設される煙突（筒体）としては、所謂一体物ではなく、複数の金属製の筒状部材同士を連結して成る別体構造が一般的であり、現場にてこの筒状部材同士を連結することで煙突は形成される。
【０００３】
ところで、最近では、この煙突工事を依頼する側の一般のユーザー（素人）がホームセンターなどで部品（筒状部材）を購入し、自ら煙突を設置したり修繕したりするケースも増えている。
【０００４】
ところが、この煙突の設置に際して、設置場所の条件に合わせて煙突の長さ調整が必要な場合、筒状部材を切断することになるが、専門の業者であれば金切鋏などの専用の工具で切断しているが、前述した一般のユーザーの場合、筒状部材を切断しようとしても専用の金切鋏（工具）を持っていなかったり、仮に金切鋏（工具）を持っていたとしても熟練者でなければ上手く切断することはできないとされる。
【０００５】
そこで、従来から、複数の筒状部材同士をスライド自在に連結して成る伸縮式の煙突が提案されており、この構造であれば前述した筒状部材の切断作業が不要である。
【０００６】
具体的には、この伸縮式の煙突は、図１，２に図示したように隣接する筒状部材３１のうち、一方の筒状部材３１Ａの開口端部に他方の筒状部材３１Ｂの開口端部を被嵌し得るようにし、この重なった部分に筒状（ベルト状）の締め付け部材３２を被嵌して締め付ける（螺着部材３２ａを締め付け方向に螺動させて対向する立ち上がり部３２ｂ，３２ｃ同士の対向間隔を狭める）ことで筒状部材３１Ａ，３１Ｂ同士を一体化し得るように構成したものである。
【０００７】
ところが、その構造上（被嵌する外側の筒状部材３１Ｂを凹ませるなどの変形させることで締め付けが行われる構造上）、締め付け部材３２の締め付け力が内側の筒状部材３１Ａまで良好に伝わらず連結が不完全な場合があり、しかも、被嵌する筒状部材３１Ｂの内面と被嵌される筒状部材３１Ａの外面との間に一部隙間が生じてしまう場合もあり、また、実際に煙突を形成する作業に際しては、この連結する筒状部材３１Ａ及び筒状部材３１Ｂと、この両者３１Ａ，３１Ｂの重ね部分に被嵌して締め付けする締め付け部材３２とが夫々別体であり、よって、この各部材を手で押さえながら、長さ調整をしつつ締め付けする作業となる為、非常に煩わしく厄介であり、作業性が悪いという問題点がある。これは、一般のユーザーだけでなく、煙突の設置作業に精通した専門の熟練者であっても当然に生じ得る問題点である。
【０００８】
本出願人は、上述した問題点に着目し、種々の実験研究を重ねた結果、極めて商品価値の高い画期的な筒体を開発した。
【０００９】
【課題を解決するための手段】
添付図面を参照して本発明の要旨を説明する。
【００１０】
複数の筒状部材１同士を連結して成る筒体であって、隣接する筒状部材１のうち、一方の筒状部材１Ａの開口端部に他方の筒状部材１Ｂの開口端部を被嵌し得るように構成し、この他方の筒状部材１Ｂの被嵌開口端部２にこの筒状部材１Ｂの周方向を分断する切り込み部３を形成するとともに、この被嵌開口端部２を絞り込んで径縮させる絞り込み径縮機構を前記被嵌開口端部２に設けたことを特徴とする筒体に係るものである。
【００１１】
また、前記切り込み部３の対向する切り込み端縁部５，６同士の対向間隔を狭くし得る挟み込み体４を前記被嵌開口端部２に設けて前記絞り込み径縮機構を構成したことを特徴とする請求項１記載の筒体に係るものである。
【００１２】
また、前記切り込み部３の対向する切り込み端縁部５，６夫々に立ち上がり部５，６を形成し、この立ち上がり部５，６間にネジ棒部材４ａを架設するとともに、この立ち上がり部５，６の少なくとも一方の外部に突出する前記ネジ棒部材４ａの突出部に螺着する螺着部材４ｂを設け、この螺着部材４ｂを締め付け操作することで、立ち上がり部５，６同士の対向間隔を狭くし得るように設けて前記挟み込み体４を構成したことを特徴とする請求項２記載の筒体に係るものである。
【００１３】
また、前記切り込み部３を前記被嵌開口端部２に所定巾Ｌ１のスリットを形成して構成し、この切り込み部３の先端部位には、筒状部材１Ｂの開口縁に開口する開口部３ａが形成されるとともに、基端部位には、前記巾Ｌ１よりも広い巾Ｌ２の巾広部３ｂが形成されていることを特徴とする請求項１〜３のいずれか１項に記載の筒体に係るものである。
【００１４】
【発明の実施の形態】
好適と考える本発明の実施の形態（発明をどのように実施するか）を、図面に基づいてその作用効果を示して簡単に説明する。
【００１５】
例えば筒状部材１同士を連結して筒体を形成する際、隣接する筒状部材１のうち、一方の筒状部材１Ａの開口端部に他方の筒状部材１Ｂの開口端部を被嵌させ、この状態でこの被嵌開口端部２を絞込み径縮機構４により絞り込んで径縮させると、筒状部材１Ａと筒状部材１Ｂ同士とが一体化されることになる。
【００１６】
ところで、本発明は、この他方の筒状部材１Ｂの被嵌開口端部２にこの筒状部材１Ｂの周方向を分断する切り込み部３を形成しており、この切り込み部３により良好な締め付けが行われることになる。
【００１７】
即ち、この切り込み部３を設けることにより、一方の筒状部材１Ａの開口端部に被嵌させた他方の筒状部材１Ｂの被嵌開口端部２を絞り込み径縮機構によって絞り込み径縮させることが可能となり、よって、単に筒状部材１を凹ませるなどの変形させることによって締め付けが行われるのではなく、筒状部材１の径を絞り込んで収縮させることができるから、一方の筒状部材１Ａの開口端部に対する他方の筒状部材１Ｂの被嵌開口端部２の締め付けが確実且つ良好に行われることになる。
【００１８】
また、切り込み部３の対向する切り込み端縁部５，６同士の対向間隔を狭くし得る挟み込み体４を被嵌開口端部２に設けて絞り込み径縮機構を構成した場合には、挟み込み体４の操作により簡易に被嵌開口端部２の絞り込み径縮が行えることになり、このことから、筒状部材１Ａ，１Ｂ同士の連結作業が簡易且つ迅速に行えることになる。
【００１９】
また、切り込み部３の対向する切り込み端縁部５，６夫々に立ち上がり部５，６を形成し、この立ち上がり部５，６間にネジ棒部材４ａを架設するとともに、この立ち上がり部５，６の少なくとも一方の外部に突出する前記ネジ棒部材４ａの突出部４ａ’に螺着する螺着部材４ｂを設け、この螺着部材４ｂを締め付け操作することで、立ち上がり部５，６同士の対向間隔を狭くし得るように設けて前記挟み込み体４を構成した場合には、絞り込み径縮機構を構成する挟み込み体４を被嵌開口端部２に直接設けることにより、何ら複雑な構造ではなく操作が簡易で作業性に秀れ、しかも、部品点数が少なくなり、コスト安にして量産性に秀れることになる。
【００２０】
また、切り込み部３を被嵌開口端部２に所定巾Ｌ１のスリットを形成して構成し、この切り込み部３の先端部位には、筒状部材１Ｂの開口縁に開口する開口部３ａが形成されるとともに、基端部位には、前記巾Ｌ１よりも広い巾Ｌ２の巾広部３ｂが形成されている場合には、この巾広部３ｂを設けることで絞り込み径縮機構による絞り込み径縮作用によって切り込み部３に変形（しわ）が生じにくくなり、良好な連結が達成されることになる。
【００２１】
具体的には、仮にこの巾広部３ｂがない場合、絞り込み径縮機構による絞り込み径縮作用が切り込み部３に均等に働かず筒状部材１の弱い部分、即ち、筒状部材１の開口縁付近に片寄ってしまい変形（しわ）が生じるなどの問題点が懸念されるが、この点、本発明は、切り込み部３の基端部位に巾広部３ｂを設けることで、切り込み部３全体に略均等に絞り込み径縮作用が働くことになり、よって、切り込み部３に変形（しわ）が生じることなく良好な締め付け作用が発揮されることになる（この切り込み部３における変形の発生を防止することでより一層良好な締め付けや隙間の発生を防止するなどの種々のメリットが得られる。）。
【００２２】
【実施例】
本発明の具体的な実施例について図面に基づいて説明する。
【００２３】
本実施例は、複数の筒状部材１同士を連結して成る筒体であって、図６に図示したように熱発生装置としてのストーブＳから延設される伸縮式の煙突Ｐの一構成部分として適用したものである。
【００２４】
以下、本実施例に係る構成各部について詳細な説明をする。
【００２５】
筒状部材１は、夫々図３〜５に図示したように適宜な金属製（ステンレス）の板材を筒状に形成したものであり、隣接させる筒状部材１のうち、一方の筒状部材１Ａの開口端部に他方の筒状部材１Ｂの開口端部をスライド自在に被嵌し得るように構成されており、この他方の筒状部材１Ｂの被嵌開口端部２の径を筒状部材１Ａの開口端部よりも径大となるように適宜設定している。
【００２６】
従って、この筒状部材１Ｂの被嵌開口端部２を筒状部材１Ａの開口端部にスライド自在に被嵌することができ、この被嵌開口端部２を被嵌させて重ね部分（重ね代）の長さ設定をすることで筒状部材１Ａ，１Ｂ同士を連結して成る筒体の長さ調整が行えることになる。
【００２７】
また、この被嵌開口端部２には、該筒状部材１Ｂの周方向を分断する所定長の切り込み部３が形成されており、この切り込み部３は、その先端部位が筒状部材１Ｂ（被嵌開口端部２）の開口縁７に開口部３ａを有する所定巾Ｌ１のスリットを形成して構成されている。
【００２８】
従って、この切り込み部３を設けたことにより、被嵌開口端部２は径縮（径を絞り込んで収縮）させることができることになる。
【００２９】
また、切り込み部３は、その基端部位に前記巾Ｌ１よりも広い巾Ｌ２の巾広部３ｂが形成されている（図４参照）。
【００３０】
この巾広部３ｂは、後述する絞り込み径縮機構により被嵌開口端部２を径縮させた際、切り込み部３の先端部位（開口部３ａ側）に絞り込み径縮作用（力）が片寄ることで懸念される変形（しわ）の発生が確実に防止されることになる。
【００３１】
具体的には、仮にこの巾広部３ｂがない場合、絞り込み径縮機構による絞り込み径縮作用が切り込み部３に均等に働かず筒状部材１の弱い部分、即ち、筒状部材１の開口縁付近に片寄ってしまい変形（しわ）が生じるなどの問題点が懸念されるが、この点、本実施例は、切り込み部３の基端部位に巾広部３ｂを設けることで、切り込み部３全体に略均等に絞り込み径縮作用が働くことになり、よって、切り込み部３に変形（しわ）が生じることなく良好な締め付け作用が発揮されることになる（この切り込み部３における変形の発生を防止することでより一層良好な締め付けや隙間の発生を防止するなどの種々のメリットが得られる。）。
【００３２】
また、被嵌開口端部２にして切り込み部３の近傍位置には絞り込み径縮機構が設けられている。
【００３３】
この絞り込み径縮機構は、切り込み部３を構成する対向する切り込み端縁部５，６に金属板体から成る立ち上がり部５，６を対向形成するとともに、この立ち上がり部５，６に該立ち上がり部５，６同士を挟み込む挟み込み体４を設けて構成されている。
【００３４】
具体的には、この立ち上がり部５，６には、夫々左右位置に貫通孔５ａ，６ａが形成されており、この貫通孔５ａ，６ａを介して立ち上がり部５，６間にはネジ棒部材４ａが螺着状態で架設されている。
【００３５】
このネジ棒部材４ａは、ネジ部４ａ”の一端部に径大な六角頭部４ａ’が形成されており、一方の立ち上がり部５の外部から貫通させて他方の立ち上がり部６を貫通させた際、ネジ棒部材４ａのネジ部４ａ”が他方の立ち上がり部６の外部に突出する構成であり、この突出する部分に螺着する螺着部材４ｂ（締め付け部材）を設けて挟み込み体４は構成されている。
【００３６】
従って、この挟み込み体４に係る螺着部材４ｂを螺動させて該螺着部材４ｂとネジ棒部材４ａに係る六角頭部４ａ’とで立ち上がり部５，６を挟み込むことで、この立ち上がり部５，６同士の対向間隔を狭めることができ、よって、絞り込み径縮機構により被嵌開口端部２は絞り込み径縮されることになる。
【００３７】
尚、絞り込み径縮機構としては、本実施例のように立ち上がり部５，６と挟み込み体４とから成る構成に限られるものではなく、例えばＣ字状であったり分割形成されていてそれ自身が絞り込み径縮する帯状タイプのものなど、本実施例の特性を発揮する構成であれば適宜採用するものである。
【００３８】
本実施例は上述のように構成したから、筒体（煙突Ｐ）を構成する筒状部材１同士を連結する際、隣接する筒状部材１のうち、一方（下方）の筒状部材１Ａの上部開口端部に他方（上方）の筒状部材１Ｂの被嵌開口端部２を被嵌させ、この状態で絞込み径縮機構４により被嵌開口端部２を絞り込んで径縮させると、筒状部材１Ａ，１Ｂ同士が堅固に一体化されることになる。この一方（下方）の筒状部材１Ａの開口端部に他方（上方）の筒状部材１Ｂの開口端部を被嵌させる際、被嵌開口端部２をスライドさせて重ね部分（重ね代）の長さ設定をすることで筒状部材１Ａ，１Ｂ同士を連結して成る筒体の長さ調整が行えることになる。
【００３９】
よって、本実施例によれば、筒状部材１の切断作業が不要で筒体の長さ調整が簡易に行えることになり、しかも、一方の筒状部材１Ａの開口端部に対する他方の筒状部材１Ｂの被嵌開口端部２の締め付けが確実且つ良好に行われることになる。
【００４０】
また、本実施例は、挟み込み体４の操作により簡易に被嵌開口端部２の絞り込み径縮が行えることになり、このことから、筒状部材１Ａ，１Ｂ同士の連結作業が簡易且つ迅速に行えることになる。
【００４１】
また、本実施例は、絞り込み径縮機構を構成する挟み込み体４を被嵌開口端部２に直接設けることにより、何ら複雑な構造ではなく操作が簡易で作業性に秀れ、しかも、部品点数が少なくなり、コスト安にして量産性に秀れることになる。
【００４２】
また、本実施例は、切り込み部３を被嵌開口端部２に所定巾Ｌ１のスリットを形成して構成し、この切り込み部３の先端部位には、筒状部材１Ｂの開口縁に開口する開口部３ａが形成されるとともに、基端部位には、前記巾Ｌ１よりも広い巾Ｌ２の巾広部３ｂが形成されているから、この巾広部３ｂを設けることで絞り込み径縮機構による絞り込み径縮作用によって切り込み部３に変形（しわ）が生じにくくなり、良好な連結が達成されることになる。
【００４３】
尚、本発明は、本実施例に限られるものではなく、各構成要件の具体的構成は適宜設計し得るものである。
【００４４】
【発明の効果】
本発明は上述のように構成したから、筒状部材の切断作業が不要で長さ調整が簡易に行えることになり、しかも、一方の筒状部材の開口端部に対する他方の筒状部材の被嵌開口端部の締め付けが確実且つ良好に行われることになるなど極めて商品価値の高い画期的な筒体となる。
【００４５】
また、請求項２記載の発明においては、挟み込み体の操作により簡易に被嵌開口端部の絞り込み径縮が行えることになり、このことから、筒状部材同士の連結作業がより一層簡易且つ迅速に行えることになるなど極めて商品価値の高い画期的な筒体となる。
【００４６】
また、請求項３記載の発明においては、絞り込み径縮機構を構成する挟み込み体を被嵌開口端部に直接設けることにより、何ら複雑な構造ではなく操作が簡易で作業性に秀れ、しかも、部品点数が少なくなり、コスト安にして量産性に秀れることになるなど極めて商品価値の高い画期的な筒体となる。
【００４７】
また、請求項４記載の発明においては、切り込み部に巾広部を設けることで絞り込み径縮機構による絞り込み径縮作用によって切り込み部に変形（しわ）が生じにくくなり、良好な連結が達成されることになるなど極めて商品価値の高い画期的な筒体となる。
【図面の簡単な説明】
【図１】従来例を示す斜視図である。
【図２】従来例を示す分解斜視図である。
【図３】本実施例を示す斜視図である。
【図４】本実施例に係る要部を示す分解斜視図である。
【図５】本実施例を示す分解斜視図である。
【図６】本実施例の使用状態説明図である。
【符号の説明】
Ｌ１  巾
Ｌ２  巾
１  筒状部材
１Ａ  筒状部材
１Ｂ  筒状部材
２  被嵌開口端部
３  切り込み部
３ａ  開口部
３ｂ  巾広部
４  挟み込み体
４ａ  ネジ棒部材
４ｂ  螺着部材
５  切り込み端縁部・立ち上がり部
６  切り込み端縁部・立ち上がり部
【図１】
2004219021.tif 000003
【図２】
2004219021.tif 000004
【図３】
2004219021.tif 000005
【図４】
2004219021.tif 000006
【図５】
2004219021.tif 000007
【図６】
2004219021.tif 000008